(57)【特許請求の範囲】
【請求項１】
周辺大気中における所定の被検知ガスを検知する検知器であって、
前記検知器は、
本体ケースと、
前記本体ケース内に配置され、前記被検知ガスを検知するセンサと、
吸引管と、
防滴フィルタと、を備え、
前記吸引管の一端側から前記本体ケース側に前記周辺大気が流出して前記センサに供給されるように、前記吸引管の他端側の開口部は、前記周辺大気の流入口部として構成され、
前記防滴フィルタは、
前記周辺大気が流入するときに水が侵入することを防止するフィルタ部と、前記フィルタ部が固定されて前記周辺大気の流入口部に前記フィルタ部を装着可能にする装着アダプタと、を備え、
前記フィルタ部は、前記装着アダプタから外側に突出する、
検知器。
【請求項２】
前記検知器は、
前記周辺大気の異物等を除去するドレンフィルタをさらに備え、
前記ドレンフィルタの一端側は前記本体ケースに接続され、
前記ドレンフィルタの他端側は前記吸引管の一端側に接続される、
請求項１に記載の検知器。
【請求項３】
前記フィルタ部は曲面を有し、
前記防滴フィルタの前記フィルタ部は、前記装着アダプタから突出する部分において、前記装着アダプタから突出する方向の端部と他の部分とが異なる曲面で構成される、
請求項１または２に記載の検知器。
【請求項４】
前記防滴フィルタの前記装着アダプタは、前記周辺大気の流入方向の上流側部分が下流側部分よりも大きく構成される、
請求項１から請求項３のいずれか一項に記載の検知器。
【請求項５】
周辺大気中における所定の被検知ガスを検知する検知器に装着されて、前記周辺大気が流入するときに水が侵入することを防止するフィルタ部と、前記フィルタ部が固定されて前記周辺大気の流入口部に前記フィルタ部を装着可能にする装着アダプタと、を備える検知器用防滴フィルタであって、
前記フィルタ部は、前記装着アダプタから外側に突出し、
前記検知器は、
本体ケースと、
前記本体ケース内に配置され、前記被検知ガスを検知するセンサと、
吸引管と、を備え、
前記吸引管の一端側から前記本体ケース側に前記周辺大気が流出して前記センサに供給されるように、前記吸引管の他端側の開口部は、前記周辺大気の流入口部として構成され、
周辺大気は、吸引管の他端側の開口部から吸引管内に流入して吸引管の一端側の開口部から前記本体ケース側に流出して前記センサに供給される、
検知器用防滴フィルタ。
【発明の詳細な説明】
【技術分野】
【０００１】
本発明は、検知器および検知器用防滴フィルタの技術に関する。
【背景技術】
【０００２】
従来、検知器に関する技術は種々知られている。前記検知器は、周辺大気を吸引して周辺大気中における所定の被検知ガスを検知し、また、周辺大気中における被検知ガスの濃度が所定値以上であること等を報知する（特許文献１参照）。検知器は、例えば、水素ガスを検知する水素ガス検知器で構成される。検知器は、本体ケースと、制御部と、センサと、表示部と、操作部と、チューブと、ドレンフィルタと、吸引管と、を備え、所定のアクチュエータによって吸引される周辺大気が、吸引管の開口部（周辺大気の流入口部）から流入してドレンフィルタおよびチューブを流通し、センサに供給されるように構成される。
【先行技術文献】
【特許文献】
【０００３】
【特許文献１】特開２０１３−１０４６８５号公報
【発明の概要】
【発明が解決しようとする課題】
【０００４】
しかしながら、例えば前記検知器が水素ガス検知器である場合には、比較的多量に水滴等が生じるような環境で周辺大気を検知する作業が行われる場合がある。このように多量に水滴等が生じるような環境で周辺大気を検知する作業を行うと、周辺大気を吸引したときに多量に水を吸引してしまい、ドレンフィルタ内に水が直ぐに溜まってしまう。
このように多量に水滴等が生じるような環境に対応するために、前記検知器には防滴フィルタを備えるものがある。防滴フィルタは、周辺大気が流入するときに水が侵入することを防止するフィルタ部と、フィルタ部が固定されて吸引管の開口部にフィルタ部を装着可能にする装着アダプタと、を備える。
もっとも、前記検知器では、このように多量に水滴等が生じるような環境で周辺大気を検知する作業を行うと、防滴フィルタのフィルタ部に水滴が付着する場合がある。そして、前記検知器では、防滴フィルタのフィルタ部の全体に水滴が付着すると、フィルタ部が詰まったような状態となり、周辺大気を吸引する動作不良が生じるおそれがあった。
【０００５】
本発明は以上の如き状況に鑑みてなされたものであり、周辺大気を吸引する動作不良が生じることを抑制することができる検知器を提供すること課題とする。
【課題を解決するための手段】
【０００６】
本発明の解決しようとする課題は以上の如くであり、次にこの課題を解決するための手段を説明する。
【０００７】
即ち、本願に開示する検知器においては、本体ケースと、前記本体ケース内に配置され、前記被検知ガスを検知するセンサと、吸引管と、防滴フィルタと、を備え、前記吸引管の一端側から前記本体ケース側に前記周辺大気が流出して前記センサに供給されるように、前記吸引管の他端側の開口部は、前記周辺大気の流入口部として構成され、前記防滴フィルタは、前記周辺大気が流入するときに水が侵入することを防止するフィルタ部と、前記フィルタ部が固定されて前記周辺大気の流入口部に前記フィルタ部を装着可能にする装着アダプタと、を備え、前記フィルタ部は、前記装着アダプタから外側に突出するものである。
【０００８】
本願に開示する検知器においては、前記検知器は、前記周辺大気の異物等を除去するドレンフィルタをさらに備え、前記ドレンフィルタの一端側は前記本体ケースに接続され、前記ドレンフィルタの他端側は前記吸引管の一端側に接続されるものである。
【０００９】
本願に開示する検知器においては、前記フィルタ部は曲面を有し、前記防滴フィルタの前記フィルタ部は、前記装着アダプタから突出する部分において、前記装着アダプタから突出する方向の端部と他の部分とが異なる曲面で構成されるものである。
【００１０】
本願に開示する検知器においては、前記防滴フィルタの前記装着アダプタは、前記周辺大気の流入方向の上流側部分が下流側部分よりも大きく構成されるものである。
【００１１】
本願に開示する検知器用防滴フィルタにおいては、周辺大気中における所定の被検知ガスを検知する検知器に装着されて、前記周辺大気が流入するときに水が侵入することを防止するフィルタ部と、前記フィルタ部が固定されて前記周辺大気の流入口部に前記フィルタ部を装着可能にする装着アダプタと、を備える検知器用防滴フィルタであって、前記フィルタ部は、前記装着アダプタから外側に突出し、前記検知器は、本体ケースと、前記本体ケース内に配置され、前記被検知ガスを検知するセンサと、吸引管と、を備え、前記吸引管の一端側から前記本体ケース側に前記周辺大気が流出して前記センサに供給されるように、前記吸引管の他端側の開口部は、前記周辺大気の流入口部として構成され、周辺大気は、吸引管の他端側の開口部から吸引管内に流入して吸引管の一端側の開口部から前記本体ケース側に流出して前記センサに供給されるものである。
【発明の効果】
【００１２】
本発明の効果として、以下に示すような効果を奏する。
即ち、本発明によれば、周辺大気を吸引する動作不良が生じることを抑制することができる。
【図面の簡単な説明】
【００１３】
【図１】本発明の実施形態に係る検知器および検知器用防滴フィルタを示す斜視図。
【図２】同じく検知器のブロック図。
【図３】同じく検知器および検知器用防滴フィルタの拡大図。
【図４】同じく検知器および検知器用防滴フィルタの拡大断面図。
【図５】同じく検知器および検知器用防滴フィルタの拡大斜視図。
【図６】同じく検知器および検知器用防滴フィルタの拡大図。
【図７】同じく検知器および検知器用防滴フィルタの拡大断面図。
【図８】同じく検知器および検知器用防滴フィルタの拡大断面図。
【図９】同じく検知器および検知器用防滴フィルタの拡大図。
【図１０】同じく検知器および検知器用防滴フィルタの拡大図。
【図１１】同じく検知器および検知器用防滴フィルタの拡大図。
【図１２】同じく検知器および検知器用防滴フィルタの拡大断面図。
【図１３】同じく検知器および検知器用防滴フィルタの拡大図。
【図１４】同じく検知器および検知器用防滴フィルタの拡大断面図。
【発明を実施するための形態】
【００１４】
次に、図１から図４に記載の検知器１および検知器用防滴フィルタ１０について説明する。
【００１５】
検知器１は、周辺大気を吸引して周辺大気中における所定の被検知ガスを検知し、また、周辺大気中における被検知ガスの濃度が所定値以上であること等を報知する。検知器１は、持運び可能（ポータブル式）に構成される。検知器１は、例えば、水素ガスを検知する水素ガス検知器で構成される。
【００１６】
図１から図３に示すように、検知器１は、本体ケース２と、制御部３と、センサ４と、表示部５と、操作部６と、チューブ７と、ドレンフィルタ８と、吸引管９と、検知器用防滴フィルタ１０（以下「防滴フィルタ１０」と称する）と、を備える。検知器１は、所定のアクチュエータによって吸引される周辺大気が、吸引管９の開口部（吸引管９の他端側の開口部）から流入して、ドレンフィルタ８およびチューブ７を流通し、センサ４に供給されるように構成される。
【００１７】
検知器１の制御部３は、検知器１の各種の動作を制御する。制御部３は、各種情報を記憶する記憶装置を有する。制御部３は、本体ケース２内に配置される。
センサ４は、検知対象を検知するセンサ４であり、外部環境の変化を検知する。センサ４は、被検知ガス（被検知ガスの濃度）を検知するガスセンサであり、水素ガスセンサ、メタンセンサ、酸素センサ、ＣＯセンサ、または、都市ガスセンサ等で構成される。センサ４は、本体ケース２内に配置される。
表示部５は、液晶画面またはランプ等で構成されて、検知器１の各種の情報等を表示する。表示部５は、本体ケース２の外面に配置される。
操作部６は、検知器１の各種の設定等の操作を行うものであり、スイッチ類等の操作具で構成される。操作部６は、本体ケース２の外面に配置される。
チューブ７は、ゴム製の管状の部材で構成される。チューブ７の一端は、本体ケース２に接続される。
ドレンフィルタ８は、周辺大気の水等の異物等を除去する。ドレンフィルタ８の一端は、チューブ７の他端に接続される。
吸引管９は、金属製の管状の部材で構成される。吸引管９の一端は、ドレンフィルタ８の他端に接続される。吸引管９の他端側の開口部は、検知器１の周辺大気の流入口部１３として構成される。
【００１８】
検知器１の防滴フィルタ１０は、吸引管９（検知器１の周辺大気の流入口部１３）に設けられる。防滴フィルタ１０は、吸引管９（検知器１の周辺大気の流入口部１３）に着脱可能に構成される。防滴フィルタ１０は、吸引される周辺大気（被検知ガス）が検知器１（吸引管９）内に流入可能に構成されるとともに、測定環境中の水（例えば、測定対象物から排出されるガスを検知する場合であれば、測定対象物の壁面や天面から滴る水滴や吸引される周辺大気中の水）が検知器１（吸引管９）内に侵入不可能に構成される。防滴フィルタ１０は、吸引される周辺大気（被検知ガス）が検知器１（吸引管９）内に流入するときに、測定環境中の水が検知器１（吸引管９）内に侵入することを防止する。
【００１９】
以上のように、周辺大気が流入するときに測定環境中の水が侵入することを防止する防滴フィルタ１０を備える、検知器１では、測定環境中の水が吸引管９内に侵入することを防止することができる。
このため、検知器１によれば、多量に水滴等が生じるような環境で周辺大気を検知する作業を行う場合であっても、ドレンフィルタ８内を掃除（水を除去等）する作業を頻繁に行うことを要さない。
したがって、検知器１によれば、周辺大気を検知する作業が煩雑さを解消することができる。
【００２０】
検知器１の防滴フィルタ１０は、フィルタ部１１と、装着アダプタ１２と、を備える。
なお以下において、図３から図１４に示す上方が防滴フィルタ１０における周辺大気の流入方向の上流側であるものとして説明する。もっとも、検知器１では、防滴フィルタ１０を上方に向けて使用することに限定されるものではなく、測定状況に応じて任意の方向に防滴フィルタ１０のフィルタ部１１を向けて周辺大気を検知する作業が行われる。
【００２１】
図３または図４に示すように、検知器１の防滴フィルタ１０の装着アダプタ１２は、検知器１の周辺大気の流入口部１３（吸引管９の他端側（上流側）の開口部）にフィルタ部１１を装着可能にする。装着アダプタ１２は、検知器１の周辺大気の流入口部１３に着脱可能に構成される。
装着アダプタ１２は、略円筒状に構成される。装着アダプタ１２は、上流側部分（先端側部分）の外径が下流側部分（基端側部分）の外径よりも大きく構成される。装着アダプタ１２の上流側部分と下流側部分との境界部分は、装着アダプタ１２の軸心に対して傾斜する面で構成される。装着アダプタ１２の上流側部分と下流側部分との境界部分は、下流側方向に行くに従って先細りとなる円錘台状に構成される。装着アダプタ１２の上流側部分の内径は、下流側部分の内径よりも小さく構成される。装着アダプタ１２の下流側部分は、吸引管９の他端側の開口部が装着アダプタ１２の下流側部分に嵌挿可能なように、その下流側部分の内径と吸引管９の他端側の開口部の外径とが略同一に構成される。装着アダプタ１２の下流側部分の内面には、Ｏリング１４が設けられる。
【００２２】
検知器１の防滴フィルタ１０のフィルタ部１１は、吸引される周辺大気（被検知ガス）が検知器１（吸引管９）内に流入可能に構成されるとともに、測定環境中の水が検知器１（吸引管９）内に侵入不可能に構成される。防滴フィルタ１０のフィルタ部１１は、吸引される周辺大気（被検知ガス）が検知器１（吸引管９）内に流入するときに、測定環境中の水が検知器１（吸引管９）内に侵入することを防止する。
フィルタ部１１は、外面に曲面を有する形状に構成される。フィルタ部１１は、円筒の一端部に球の一部（半球）が設けられた形状に構成される。フィルタ部１１は、球状部分（球状の一部）が円筒状部分よりも上流側に位置するように構成される。フィルタ部１１は、球状部分（球状の一部）が円筒状部分から上流側方向に突出するように構成される。フィルタ部１１は、装着アダプタ１２の軸心方向と直交する方向において、円筒状部分よりも外側に球状部分が突出しないように構成される。フィルタ部１１は、球状部分の外径と円筒状部分の外径とが略同一となるように構成される。防滴フィルタ１０のフィルタ部１１は、ポリエチレンを主たる成分とした粉状のものを焼結して構成される。
フィルタ部１１の下流側部分（円筒状部分の下流側端部）は、装着アダプタ１２の上流側部分に嵌挿可能なように、フィルタ部１１の下流側部分の外径と装着アダプタ１２の上流側部分の外径とが略同一に構成される。
フィルタ部１１は、装着アダプタ１２よりも、周辺大気の流入方向の上流側に配置される。フィルタ部１１は、装着アダプタ１２（吸引管９の他端側の開口部）から外側に突出する。フィルタ部１１は、その円筒部分の一部が装着アダプタ１２の上流側の開口から装着アダプタ１２に嵌装された状態で、接着剤等の固定手段によって装着アダプタ１２に固定される。フィルタ部１１は、このように装着アダプタ１２に取付けられた状態では、装着アダプタ１２から突出する部分が全体的に曲面で構成される。フィルタ部１１は、装着アダプタ１２の上流側の開口からフィルタ部１１の円筒状部分が延出するように構成される。フィルタ部１１は、装着アダプタ１２から突出する方向の端部に球状部分が位置するように構成される。フィルタ部１１は、装着アダプタ１２から突出する部分において、装着アダプタ１２から突出する方向の端部（半球状部分）と他の部分（円柱状部分）とが異なる曲率の曲面で構成される。フィルタ部１１は、装着アダプタ１２から突出する部分において、フィルタ部１１の外面が装着アダプタ１２の上流側部分よりも内側（装着アダプタ１２の軸心方向）に位置するように構成される。
フィルタ部１１は、装着アダプタ１２から突出する部分全体（フィルタ部１１の上方や側方等）から周辺大気が流入するように構成される。
【００２３】
以上のように構成される防滴フィルタ１０は、装着アダプタ１２の下流側部分の開口から装着アダプタ１２内に吸引管９の他端側部分を挿入していく（図５参照）。このとき、防滴フィルタ１０の装着アダプタ１２の上流側部分に、吸引管９の先端が当接するまで装着アダプタ１２内に吸引管９の他端側部分を嵌挿していく。このようにして防滴フィルタ１０は、吸引管９（検知器１）に装着される。
【００２４】
以上のように、防滴フィルタ１０が、周辺大気が流入するときに測定環境中の水が侵入することを防止するフィルタ部１１を備える、検知器１では、測定環境中の水が吸引管９内に侵入することを防止することができる。
このため、検知器１によれば、多量に水滴等が生じるような環境で周辺大気を検知する作業を行う場合であっても、ドレンフィルタ８内を掃除（水を除去等）する作業を頻繁に行うことを要さない。
したがって、検知器１によれば、周辺大気を検知する作業の煩雑さを解消することができる。
【００２５】
以上のように、防滴フィルタ１０のフィルタ部１１が装着アダプタ１２から外側に突出する突出する、検知器１では、フィルタ部１１が装着アダプタ１２から外側に突出することから、フィルタ部１１が装着アダプタ１２から外側に突出しないものに比べて周辺大気を吸引する部分（フィルタ部１１）の面積が大きく構成される。
このため、検知器１では、防滴フィルタ１０のフィルタ部１１が装着アダプタ１２から外側に突出しないものに比べて、フィルタ部１１の全体に水滴が付着してフィルタ部１１が詰まったような状態となることを抑制することができる。
したがって、検知器１によれば、周辺大気を吸引する動作不良が生じることを抑制することができる。
【００２６】
防滴フィルタ１０のフィルタ部１１が曲面を有する、検知器１では、フィルタ部１１が曲面を有することから、フィルタ部１１が曲面を有さないものに比べて周辺大気を吸引する部分（フィルタ部１１）に付着した水滴が流れ落ち易く（フィルタ部１１に溜まり難く）なる。
このため、検知器１では、防滴フィルタ１０のフィルタ部１１が曲面を有さないものに比べて、フィルタ部１１の全体に水滴が付着してフィルタ部１１が詰まったような状態となることを抑制することができる。
したがって、検知器１によれば、周辺大気を吸引する動作不良が生じることを抑制することができる。
【００２７】
以上のように、防滴フィルタ１０のフィルタ部１１が円筒状部分を備える、検知器１では、フィルタ部１１が円筒状部分を備えないもの（例えば、フィルタ部１１が曲面を有さないもの）に比べて周辺大気を吸引する部分（フィルタ部１１）に付着した水滴が流れ落ち易く（フィルタ部１１に溜まり難く）なる。
このため、検知器１では、防滴フィルタ１０のフィルタ部１１が円筒状部分を備えないものに比べて、フィルタ部１１の全体に水滴が付着してフィルタ部１１が詰まったような状態となることを抑制することができる。
したがって、検知器１によれば、周辺大気を吸引する動作不良が生じることを抑制することができる。
【００２８】
防滴フィルタ１０のフィルタ部１１（フィルタ部１１の円筒状部分）が、アダプタ１２から延出するように構成される、検知器１では、フィルタ部１１が装着アダプタ１２から延出することから、装着アダプタ１２からフィルタ部１１が延出しない構成のものに比べて、吸引する面積（吸引する範囲）が広く構成される。
このため、検知器１では、防滴フィルタ１０のフィルタ部１１が装着アダプタ１２から延出しない構成のものに比べて、防滴フィルタ１０のフィルタ部１１を所望の測定箇所に配置するときの精度を要さずに、周辺大気を検知する作業を行うことができる。
【００２９】
以上のように、防滴フィルタ１０のフィルタ部１１が半球状部分を備える、検知器１では、フィルタ部１１が半球状部分を備えないもの（例えば、フィルタ部１１が曲面を有さないもの）に比べて周辺大気を吸引する部分（フィルタ部１１）に付着した水滴が流れ落ち易く（フィルタ部１１に溜まり難く）なる。
このため、検知器１では、防滴フィルタ１０のフィルタ部１１が半球状部分を備えないものに比べて、フィルタ部１１の全体に水滴が付着してフィルタ部１１が詰まったような状態となることを抑制することができる。
したがって、検知器１によれば、周辺大気を吸引する動作不良が生じることを抑制することができる。
【００３０】
以上のように、防滴フィルタ１０のフィルタ部１１は、装着アダプタ１２から突出する方向の端部に曲面部分（球状部分）が位置するように構成される、検知器１では、装着アダプタ１２から突出する方向の端部にフィルタ部１１の曲面部分が位置することから、フィルタ部１１における装着アダプタ１２から突出する方向の端部において、フィルタ部１１に付着した水滴が流れ落ち易く（フィルタ部１１に溜まり難く）なる。
このため、検知器１では、装着アダプタ１２から突出する方向の端部に曲面部分（球状部分）が位置しないものに比べて、フィルタ部１１の全体に水滴が付着してフィルタ部１１が詰まったような状態となることを抑制することができる。
したがって、検知器１によれば、周辺大気を吸引する動作不良が生じることを抑制することができる。
【００３１】
以上のように、防滴フィルタ１０のフィルタ部１１の装着アダプタ１２から突出する部分が全体的に曲面で構成される、検知器１では、フィルタ部１１の装着アダプタ１２から突出する部分が全体的に曲面で構成されることから、フィルタ部１１の全体において、フィルタ部１１に付着した水滴が流れ落ち易く（フィルタ部１１に溜まり難く）なる。
このため、検知器１では、防滴フィルタ１０のフィルタ部１１が曲面を有さないものに比べて、フィルタ部１１の全体に水滴が付着してフィルタ部１１が詰まったような状態となることを抑制することができる。
したがって、検知器１によれば、周辺大気を吸引する動作不良が生じることを抑制することができる。
【００３２】
以上のように、防滴フィルタ１０のフィルタ部１１は、装着アダプタ１２から突出する部分において、装着アダプタ１２から突出する方向の端部と他の部分とが異なる曲面で構成される、検知器１では、装着アダプタ１２から突出する方向の端部と他の部分とが異なる曲面で構成されることから、例えばフィルタ部１１の傾斜角度を変えることで、フィルタ部１１の全体において、フィルタ部１１に付着した水滴が流れ落ち易く（フィルタ部１１に溜まり難く）なる。
このため、検知器１では、装着アダプタ１２から突出する方向の端部と他の部分とが異なる曲面で構成されないおものに比べて、フィルタ部１１の全体に水滴が付着してフィルタ部１１が詰まったような状態となることを抑制することができる。
したがって、検知器１によれば、周辺大気を吸引する動作不良が生じることを抑制することができる。
【００３３】
以上のように、防滴フィルタ１０のフィルタ部１１が、円筒の一端部に球の一部（半球）が設けられた形状に構成される、検知器１では、フィルタ部１１が円筒の一端部に球の一部が設けられた形状に構成されないもの（例えば、フィルタ部１１が曲面を有さないもの）に比べて周辺大気を吸引する部分（フィルタ部１１）に付着した水滴が流れ落ち易く（フィルタ部１１に溜まり難く）なる。
このため、検知器１では、防滴フィルタ１０のフィルタ部１１が円筒の一端部に球の一部が設けられた形状に構成されないものに比べて、フィルタ部１１の全体に水滴が付着してフィルタ部１１が詰まったような状態となることを抑制することができる。
したがって、検知器１によれば、周辺大気を吸引する動作不良が生じることを抑制することができる。
【００３４】
以上のように、検知器１の周辺大気の流入口部１３にフィルタ部１１を装着可能にする装着アダプタ１２を防滴フィルタ１０が備える、検知器１では、例えば、フィルタ部１１の形状が吸引管９に装着することが困難なものである場合でも、周辺大気の流入口部１３にフィルタ部１１を装着させることができる。
【００３５】
以上のように、防滴フィルタ１０の装着アダプタ１２が検知器１の周辺大気の流入口部１３に着脱可能に構成される、検知器１では、例えば、多量に水滴等が生じない環境で周辺大気を検知する作業を行うときには、防滴フィルタ１０を取外した状態で、周辺大気を検知する作業を行うことができ、検知器１の汎用性を向上させることができる。
【００３６】
以上のように、防滴フィルタ１０の装着アダプタ１２の上流側部分の内径が、下流側部分の内径よりも小さく構成され、装着アダプタ１２の下流側部分が、吸引管９の他端側の開口部を嵌挿可能なように構成される、検知器１では、防滴フィルタ１０を検知器１の周辺大気の流入口部１３に装着するときに、吸引管９の先端が当接するまで吸引管９の他端側部分を装着アダプタ１２内に嵌装することで、防滴フィルタ１０が吸引管９の検知器１の周辺大気の流入口部１３に装着された状態の位置決めを容易に行うことができる。
【００３７】
以上のように、防滴フィルタ１０の装着アダプタ１２は上流側部分（先端側部分）の外径が下流側部分（基端側部分）の外径よりも大きく構成され、装着アダプタ１２の上流側部分と下流側部分との境界部分は装着アダプタ１２の軸心に対して傾斜する面で構成される、検知器１では、防滴フィルタ１０を吸引管９から取外すときに装着アダプタ１２（装着アダプタ１２の上流側部分、または、装着アダプタ１２の上流側部分と下流側部分との境界部分の傾斜面）に指が引掛かり易くなり、例えば円筒状のもののように上流側部分の外径が下流側部分の外径と同一に構成されるものに比べて、防滴フィルタ１０の取外し作業が容易となる。
【００３８】
図６または図７に示すように、防滴フィルタ１０のフィルタ部１１は、フィルタ部１１の円筒状部分の外径が装着アダプタ１２の上流側部分の外径と略同一に構成さすることもできる。防滴フィルタ１０は、フィルタ部１１の外面と装着アダプタ１２の上流側部分の外面とが面一となるように構成される。
このように構成されることによって、防滴フィルタ１０のフィルタ部１１と装着アダプタ１２との境界部分に水が溜まり難くなり、フィルタ部１１の円筒状部分の外径が装着アダプタ１２の上流側部分の外径と略同一に構成されないものに比べて、フィルタ部１１の全体に水滴が付着してフィルタ部１１が詰まったような状態となることを抑制することができる。
【００３９】
また図８に示すように、防滴フィルタ１０は、フィルタ部１１が下流側端部に突部を備え、フィルタ部１１と装着アダプタ１２とが嵌合するように構成することもできる。
このように構成されることによって、防滴フィルタ１０のフィルタ部１１と装着アダプタ１２とが嵌合した状態で固定されるため、フィルタ部１１と装着アダプタ１２とが嵌合した状態で固定されないものに比べて、フィルタ部１１が装着アダプタ１２から脱落することをより確実に防止することができる。
【００４０】
図９に示すように、防滴フィルタ１０のフィルタ部１１は、装着アダプタ１２の軸心方向と直交する方向（側方）において、円筒状部分よりも外側に球状部分が突出するように構成される。フィルタ部１１は、装着アダプタ１２の軸心方向と直交する方向において、装着アダプタ１２の上流側部分よりも外側に球状部分が突出するように構成される。フィルタ部１１は、球状部分の外径が円筒状部分の外径よりも大きく構成される。
このように構成されることによって、周辺大気を吸引する部分（フィルタ部１１）の面積を大きく構成して、フィルタ部１１の全体に水滴が付着してフィルタ部１１が詰まったような状態となることを抑制することができる。
【００４１】
図１０に示すように、防滴フィルタ１０のフィルタ部１１は、略半球状（球状の一部）に構成されて、円筒状部分を備えない構成とすることもできる。フィルタ部１１は、装着アダプタ１２の軸心方向と直交する方向において、装着アダプタ１２の上流側部分よりも外側に突出しないように構成される。
このように構成されることによって、周辺大気を吸引する部分（フィルタ部１１）に付着した水滴が流れ落ち易く（フィルタ部１１に溜まり難く）なり、フィルタ部１１の全体に水滴が付着してフィルタ部１１が詰まったような状態となることを抑制することができる。
【００４２】
図１１に示すように、防滴フィルタ１０のフィルタ部１１は、円筒状部分を備えない構成としたときに、装着アダプタ１２の軸心方向と直交する方向において、装着アダプタ１２の上流側部分よりも外側に球状部分が突出するように構成することもできる。
このように構成されることによって、周辺大気を吸引する部分（フィルタ部１１）の面積を大きく構成して、また、周辺大気を吸引する部分（フィルタ部１１）に付着した水滴が流れ落ち易く（フィルタ部１１に溜まり難く）なり、フィルタ部１１の全体に水滴が付着してフィルタ部１１が詰まったような状態となることを抑制することができる。
【００４３】
図１２から図１４に示すように、防滴フィルタ１０のフィルタ部１１は、上流側端部に底部を有する円筒状に構成されて、球状部分を備えない構成とすることもできる。装着アダプタ１２の上流側部分の内面および下流側部分の内面には、Ｏリング１４がそれぞれ設けられる。
このように構成されることによって、周辺大気を吸引する部分（フィルタ部１１）に付着した水滴が流れ落ち易く（フィルタ部１１に溜まり難く）なり、フィルタ部１１の全体に水滴が付着してフィルタ部１１が詰まったような状態となることを抑制することができる。
【符号の説明】
【００４４】
１    検知器
２    本体ケース
７    チューブ
８    ドレンフィルタ
９    吸引管
１０  防滴フィルタ
１１  フィルタ部
１２  装着アダプタ
【図１】
0006758829.tif 000002
【図２】
0006758829.tif 000003
【図３】
0006758829.tif 000004
【図４】
0006758829.tif 000005
【図５】
0006758829.tif 000006
【図６】
0006758829.tif 000007
【図７】
0006758829.tif 000008
【図８】
0006758829.tif 000009
【図９】
0006758829.tif 000010
【図１０】
0006758829.tif 000011
【図１１】
0006758829.tif 000012
【図１２】
0006758829.tif 000013
【図１３】
0006758829.tif 000014
【図１４】
0006758829.tif 000015